(57)【要約】【課題】間接活線工具を用い架空電線の接続部などの所定個所に簡単に被着または取り外すことができるようにして、その作業性の向上を図った高圧絶縁カバーを提供する。【解決手段】両端に電線Ｄを挿通する挿通孔２が開設された中空状の高圧絶縁カバーＡ１であって、挿通孔２の中心軸線に沿った一側をヒンジ部４とし他側を分割５して両側壁１ａ，１ａを開閉自在に設け、両側壁１ａ，１ａに開閉動作に伴い自在に係脱する係合手段８，９を設け、両側壁１ａ，１ａの他側端面には分割５線を跨ぐようにして間接活線工具２０の把持部２３先端が挿入し得る所定の大きさの挿込凹部１１を設けてなり、挿込凹部１１に間接活線工具２０の把持部２３先端を挿入すると共に把持部２３先端を両側壁１ａ，１ａの他側端面と平行な面内で回動させて該両側壁１ａ，１ａを外側へ押し開くことにより、係合手段８，９の係合が外れるようにした。【選択図】図８
2008178181.tif 000002
【特許請求の範囲】
【請求項１】
両端に電線を挿通する挿通孔が開設された中空状の高圧絶縁カバーであって、
前記挿通孔の中心軸線に沿った一側をヒンジ部とし他側を分割して両側壁を開閉自在に設け、前記両側壁に前記開閉動作に伴い自在に係脱する係合手段を設け、前記両側壁の他側端面には前記分割線を跨ぐようにして間接活線工具の把持部先端が挿入し得る所定の大きさの挿込凹部を設けてなり、
前記挿込凹部に前記間接活線工具の把持部先端を挿入すると共に該把持部先端を前記両側壁の他側端面と平行な面内で回動させて該両側壁を外側へ押し開くことにより、前記係合手段の係合が外れるようにしたことを特徴とする高圧絶縁カバー。
【請求項２】
両端に電線を挿通する挿通孔が開設された中空状の高圧絶縁カバーであって、
前記挿通孔の中心軸線に沿った一側をヒンジ部とし他側を分割して両側壁を開閉自在に設け、前記両側壁に前記開閉動作に伴い自在に係脱する係合手段を設け、前記両側壁の他側端面には前記分割線を跨ぐようにして間接活線工具の把持部先端が挿入し得る所定の大きさの挿込凹部を複数設けてなり、
前記各挿込凹部は、前記分割線と交差しかつ前記挿込凹部間の突状部に接する側縁面が前記両側壁の他側端面側から見てＶ溝をなすテーパ面に成形され、前記隣接する両挿込凹部に前記各把持部先端をそれぞれ挿入すると共に前記分割線に沿って前記挿込凹部間の突状部に接する前記両側縁面を挟むように作動させて前記両側壁を外側へ押し開くことにより、前記係合手段が外れるようにしたことを特徴とする高圧絶縁カバー。
【発明の詳細な説明】
【技術分野】
【０００１】
本発明は、例えば、架空電線における既設、新設の接続部や電気工事のためバイパス線を繋ぐ接続部を被覆する場合、または架空電線に直接被覆する場合等広い範囲で使用できる高圧絶縁カバーに関するものである。
【背景技術】
【０００２】
従来、例えば高圧絶縁カバーの一種として電線用被覆補修カバーが有る。この電線用被覆補修カバーは、架空電線の工事に際して行なわれる所謂バイパス工法にあって、架空電線の工事終了後であり、しかも、バイパス線を撤去した後の芯線が露出する架空電線の接続部に被着するようにして、その架空電線を保護するために用いられる。
更に詳しく説明すると、電線用被覆補修カバーは、両端に電線を挿通する挿通孔を開設した中空状に成形され、前記挿通孔の中心軸線に沿った一側をヒンジ部とし、他側を分割して両側壁が開閉自在に設けられる。両側壁の対向する切断端縁に、それぞれ突出片を対設すると共にこれら突出片に係脱自在に係合し得る係止爪と係合孔が設けられる。また、一方の突出片の中央部の下部に、間接活線工具の把持部の先端に装着した治具を挿入する長孔が開設され、両突出片の両側端部に間接活線工具の把持部の先端に装着したマイナスドライバー等の扁平部が挿入可能な偏平凹部が対設して設けられている（例えば、特許文献１参照。）。
【特許文献１】特公平７−１２３３２７号公報（第２−３頁、図３乃至図７）
【発明の開示】
【発明が解決しようとする課題】
【０００３】
しかしながら、架空電線の接続部に電線用被覆補修カバーを被覆する場合は、間接活線工具の把持部の先端にいちいち治具を装着し、該治具の先端を長孔に挿入した状態で、架空電線に電線用被覆補修カバーを被せて両側壁間に電線を挿通する。その後、長孔から治具を抜くと共に該治具を外し、該治具を外した間接活線工具の把持部で両側壁の両端部を挟み係止爪を係合孔に係合させるようにしている。このように、間接活線工具の把持部の先端に付属品として治具をいちいち着脱させて作業をしなければならず、その作業が面倒であった。
【０００４】
また、再度の架線工事のため前記架空電線の接続部を再び使ってバイパス線を接続しようとする場合、接続部を被覆していた電線用被覆補修カバーを外すことになるが、間接活線工具の把持部に今度はマイナスドライバーを装着し、このマイナスドライバーの先端を両側壁間の扁平凹部に挿入して抉るようにして回す。このように、電線用被覆補修カバーを外す場合も、間接活線工具の把持部の先端にマイナスドライバーをいちいち着脱しなければならず、その作業が面倒であった。
このため、電線用被覆補修カバーを取り付けまたは取り外しするための作業性が良くないという改良すべき点が有る。
【０００５】
そこで、本発明は上記課題を解決すべくなされたもので、治具やマイナスドライバーといった付属品を使用することなく、しかも、簡単に取り付けまたは取り外しが行なえ、作業性が向上できる高圧絶縁カバーを提供することを目的とするものである。
【課題を解決するための手段】
【０００６】
かかる目的を達成するため請求項１記載の高圧絶縁カバーは、両端に電線を挿通する挿通孔が開設された中空状の高圧絶縁カバーであって、前記挿通孔の中心軸線に沿った一側をヒンジ部とし他側を分割して両側壁を開閉自在に設け、前記両側壁に前記開閉動作に伴い自在に係脱する係合手段を設け、前記両側壁の他側端面には前記分割線を跨ぐようにして間接活線工具の把持部先端が挿入し得る所定の大きさの挿込凹部を設けてなり、前記挿込凹部に前記間接活線工具の把持部先端を挿入すると共に該把持部先端を前記両側壁の他側端面と平行な面内で回動させて該両側壁を外側へ押し開くことにより、前記係合手段の係合が外れるようにしたことを特徴とする。
【０００７】
また、請求項２記載の高圧絶縁カバーは、両端に電線を挿通する挿通孔が開設された中空状の高圧絶縁カバーであって、前記挿通孔の中心軸線に沿った一側をヒンジ部とし他側を分割して両側壁を開閉自在に設け、前記両側壁に前記開閉動作に伴い自在に係脱する係合手段を設け、前記両側壁の他側端面には前記分割線を跨ぐようにして間接活線工具の把持部先端が挿入し得る所定の大きさの挿込凹部を複数設けてなり、前記各挿込凹部は、前記分割線と交差しかつ前記挿込凹部間の突状部に接する側縁面が前記両側壁の他側端面側から見てＶ溝をなすテーパ面に成形され、前記隣接する両挿込凹部に前記各把持部先端をそれぞれ挿入すると共に前記分割線に沿って前記挿込凹部間の突状部に接する前記両側縁面を挟むように作動させて前記両側壁を外側へ押し開くことにより、前記係合手段が外れるようにしたことを特徴とする。
【発明の効果】
【０００８】
請求項１に係る高圧絶縁カバーは、開閉自在な両側壁に係合手段を設けてなるので、間接活線工具を用いその把持部先端で両側壁を外側から挟むのみで架空電線の接続部に高圧絶縁カバーが簡単に被着できる。また、両側壁の他側端面に設けられた挿込凹部に把持部先端を挿入すると共にそのまま両側壁の他側端面と平行な面内で回動させて該両側壁を外側へ押し開くことにより前記係合手段の係合が外れるので、高圧絶縁カバーが簡単に取り外せることになり、着脱における作業性が極めて良いという効果がある。
【０００９】
請求項２に係る高圧絶縁カバーは、同様に開閉自在な両側壁に係合手段を設けてなるので、間接活線工具を用いその把持部先端で両側壁を外側から挟むのみで架空電線に高圧絶縁カバーが簡単に被着できる。また、各挿込凹部は、分割線と交差しかつ挿込凹部間の突状部に接する側縁面が両側壁の他側端面側から見てＶ溝をなすテーパ面に成形されているので、隣接する両挿込凹部に間接活線工具の各把持部先端をそれぞれ挿入すると共に分割線に沿って挿込凹部間の突状部に接する両側縁面を挟むように作動させて両側壁を外側へ押し開くことにより、係合手段の係合が外れる。この場合も、高圧絶縁カバーが簡単に取り外せることになり、着脱における作業性が極めて良いという効果がある。
【発明を実施するための最良の形態】
【００１０】
以下、本発明に係る高圧用絶縁カバーの実施の形態を図面に基づき説明する。本発明にあっては、高圧用絶縁カバーの一例としてバイパス工法における電線用被覆補修カバーについて説明する。本発明は、第一実施の形態と第二実施の形態があり、先に第一実施の形態から説明する。図１乃至図１０は第一実施の形態に係るもので、図１は第一実施の形態の係る電線用被覆補修カバーの斜視図、図２は同開いた状態を示す斜視図、図３は図１のＸ−Ｘ線断面図、図４は図１のＹ−Ｙ線断面図である。
【００１１】
第一実施の形態に係る電線用被覆補修カバーＡ１は、合成樹脂製、例えばポリエチレン樹脂製であって可撓性を有する。そして、例えば長さＬ：２１５ｍｍ、高さＨ：５５ｍｍ、幅Ｗ：２８ｍｍの中空状かつ直方体形状のカバー本体１からなり、その両端に後記する架空電線Ｄを挿通するための挿通孔２，２が開設されている。両挿通孔２，２は縦長状に成形され、それら内周縁に挿通孔２をほぼ覆うようにして屈曲自在な襞片３が一体に設けられる。また、両襞片３，３には横断状のスリット３ａが所定間隔離して複数本設けられる。これは、架空電線Ｄが挿通孔２，２に挿通し易くするためと、挿通した後に架空電線Ｄとの間の隙間を塞ぎ鳥等の小動物がカバー本体１内に侵入して短絡事故を起こさないようにするためである。
【００１２】
カバー本体１は、挿通孔２，２の中心軸線に沿った一側をヒンジ部４とし他側を分割５として両側壁１ａ，１ａが開閉自在に設けられる。前記ヒンジ部４は外周面が円弧状をなし、両側壁１ａ，１ａの他側端に該側壁１ａ，１ａとほぼ直角をなす端壁１ｂ，１ｂが設けられる。また、両側壁１ａ，１ａの内側面であって端壁１ｂ，１ｂから一定の間隔離した位置に、端壁１ｂ，１ｂとほぼ平行をなす仕切り壁６，６が設けられる。これら仕切り壁６，６の長手方向に沿った両側には、外側へ向かって下傾した傾斜部６ａ，６ａが設けられる。
【００１３】
両端壁１ｂ，１ｂと両仕切り壁６，６との間にはその左右側に一対の突状部７，７が設けられ、対向する一方の各突状部７に係合手段である係合凸部８が設けられ、他方の各突状部７に係合手段である係合凹部９が設けられている。前記各係合凸部８は、その先端に上方を向く爪部１０が設けられ、前記両側壁１ａ，１ａの開閉動作に伴い両係合凸部８，８の爪部１０，１０が係合凹部９，９に自在に係脱するようになっている。
【００１４】
前記両側壁１ａ，１ａの他側端に位置する端壁１ｂ，１ｂには、両突状部７，７を残しそれら両側に位置して前記分割５線を跨ぐ所定の大きさの挿込凹部１１，１１，１１が設けられる。すなわち、各挿込凹部１１は前記端壁１ｂ，１ｂの長手方向に沿って横長に成形され、図４に示すその短手方向の幅Ｗ１が、図８、図９に示すように後記する間接活線工具２０における把持部２３の第一・第二把持片２３ａ，２３ｂ先端の厚み幅ｅ１よりも広くかつ横幅ｅ２よりも狭く設定されている。すなわち、第一・第二把持片２３ａ，２３ｂの先端を挿込凹部１１と平行な向きにすれば該挿込凹部１１に挿通でき、逆に、直交する向きにすれば挿通し得ないようになっている。
【００１５】
カバー本体１のヒンジ部４寄りの内周面にその長手方向のほぼ中央部に位置して、挿通孔２の中心軸線と直交する一対の弧状の支持リブ１２，１２が突設される。この両支持リブ１２，１２により、架空電線Ｄにおける剥離した銅線である芯線Ｃがほとんど隙間のないように挿通される通孔１３，１３が成形されることになる。
【００１６】
第一実施の形態に係る電線用被覆補修カバーＡ１は上記構成からなり、図５、図６に示すような架空電線Ｄであって、被覆部ｄを剥離して芯線Ｃが一部露出した接続部Ｅに被着して使用される。このように被覆部ｄの一部を剥がすのは、例えば、架空電線Ｄにおける或る一定区間を停電させてその間で架線工事を行う場合、架空電線Ｄにその区間を迂回するようなバイパス線を接続し、該架空電線Ｄに架線工事区間を除いて電流を流したまま工事が行えるようにするためである。
【００１７】
図５、図６において、１５は電柱であり、該電柱１５の上部に腕金１６が固着されると共に該腕金１６にはピン碍子１６ａが立設される。電柱１５を挟んだ両側の架空電線Ｄ，Ｄの端部は、前記腕金１６の両側に張設される耐張碍子１７，１７にクランプ部１８，１８を介して接続される。両クランプ部１８，１８間には縁回し線１９が接続される。この場合、架空電線Ｄにあって電柱１５から少し離れた位置の被覆部ｄを剥がし、その位置に芯線Ｃが露出する接続部Ｅが設けられる。
【００１８】
また、架空電線Ｄには電流を流した状態、所謂活線状態で作業が行なわれるため、図７に示すような間接活線工具２０（通常、「絶縁ヤットコ」と称される。）が使用される。この間接活線工具２０は、棒状の主杆２１と該主杆２１よりも短くしかも細い副杆２２とから概略構成され、いずれも非導電性の部材から成形されている。そして、主杆２１に沿わせて副杆２２が配置され、これらの先端部に把持部２３が設けられ、基端部には該把持部２３を操作するハンドル部２４が設けられている。
【００１９】
前記把持部２３は、主杆２１の先端に一体に設けられ前方へ円弧状に湾曲する第一把持片２３ａと、該第一把持片２３ａに軸着され該第一把持片２３ａを含む面内で回動する円弧状の第二把持片２３ｂとからなる。第二把持片２３ｂの基端には、前記第一把持片２３ａに開設された透孔２５に挿入される副杆２２の先端に軸着されている。一方、ハンドル部２４は、主杆２１に取着されるハンドル本体２６と、該ハンドル本体２６に回動自在に軸着されるＬ型のリンク部材２７とからなり、リンク部材２７の基端側に握り部２８が設けられ先端側に前記副杆２２の基端が軸着されている。
【００２０】
ハンドル部２４の握り部２８が主杆２１から遠ざかるようにリンク部材２７を回動させると、副杆２２が主杆２１の先端側へ進出すると共に第二把持片２３ｂが外側へ回動して第一・第二把持片２３ａ，２３ｂ先端の挟着面２３ｃ，２３ｃ間が開くことになる。逆に、握り部２８を主杆２１側へ近づけるようにリンク部材２７を回動させると、副杆２２が主杆２１の基端側へ後退すると共に第二把持片２３ｂが内側へ回動して第一・第二把持片２３ａ，２３ｂ先端の挟着面２３ｃ，２３ｃが合わさって閉じることになる。
【００２１】
そこで、まず高所作業車（図示せず。）に作業者が乗って上昇し、間接活線工具２０の把持部２３により第一実施の形態に係る電線用被覆補修カバーＡ１を挟んで保持し、前記架空電線Ｄにおける接続部Ｅに被せる。そして、側壁１ａ，１ａの両側を外側から挟むことにより両係合凹部９，９に係合凸部８、８を係合する。これにより、図５，図６に示すように架空電線Ｄが挿通孔２，２に挿通されると共に芯線Ｃの外周面に一対の支持リブ１２，１２が嵌着される。しかも、該第一実施の形態に係る電線用被覆補修カバーＡ１が架空電線Ｄに沿って左右にずれるようなことがない。仮に、ずれたとしても、接続部Ｅにおける架空電線Ｄの端面に支持リブ１２，１２が当接してその移動が規制される。
【００２２】
一方、前記工事が終って一定の期間（例えば、１年または２年）経過後に、再び工事を行うため第一実施の形態に係る電線用被覆補修カバーＡ１を取り外す場合は、図８に示すようにカバー本体１の端壁１ｂ，１ｂに設けられた挿込凹部１１に間接活線工具２０の把持部２３の先端、すなわち第一把持片２３ａまたは第二把持片２３ｂのいずれか一方（図８、図９では第二把持片部２３ｂの先端を差し込み、図８、図１０（イ）に示すようにその先端をそのまま両側壁１ａ，１ａの端面と平行な面内で矢視方向へほぼ９０度回動させる。これにより、図９、図１０（ロ）に示すように第二把持片２３ｂの側縁が両側壁１ａ，１ａの内側面に当接して両側壁１ａ，１ａを外側へ押し開き、係合凸部８と係合凹部９との係合が外れる。このようにして、第一実施の形態に係る電線用被覆補修カバーＡ１が簡単に取り外せることになり、作業性が極めて良い。
【００２３】
また、第一実施の形態に係る電線用被覆補修カバーＡ１は、その幅Ｗに比較し高さＨが長く設定されている。これにより、架空電線Ｄの接続部Ｅ部位が湾曲していても、その高さ方向で吸収され取り付けに支障を来たすおそれがない。更に、仕切り壁６の長手方向に沿った両側に外側へ向かって下傾した傾斜部６ａ，６ａが設けられているので、カバー本体１内に雨水が浸入しても、前記仕切り壁６の両側の傾斜部６ａ，６ａを介して雨水が外側へ排出され、カバー本体１内に雨水が溜まる心配はない。
【００２４】
次に、第二実施の形態に係る電線用被覆補修カバーＡ２について説明する。第二実施の形態に係る電線用被覆補修カバーＡ２は挿込凹部の形状を除きその他はすべて第一実施の形態に係る電線用被覆補修カバーＡ１と同一なので、同一部位は同一番号を附すことにより詳しい説明は省略する。また、第二実施の形態に係る電線用被覆補修カバーＡ２の使用場所、使用方法も第一実施の形態に係る電線用被覆補修カバーＡ１と同一である。
【００２５】
図１１乃至図１６は第二実施の形態に係るもので、図１１は第二実施の形態に係る電線用被覆補修カバーの斜視図、図１２は同開いた状態を示す斜視図、図１３は図１１のＺ−Ｚ線断面図である。
【００２６】
第二実施の形態に係る電線用被覆補修カバーＡ２も、合成樹脂製、例えばポリエチレン樹脂製であって可撓性を有する。そして、例えば長さＬ：２１５ｍｍ、高さＨ：５５ｍｍ、幅Ｗ：２８ｍｍの中空状かつ直方体形状のカバー本体１からなり、その両端に架空電線Ｄを挿通するための挿通孔２，２が開設される。両挿通孔２，２は縦長状に成形され、それら内周縁に挿通孔２をほぼ覆うようにして屈曲自在な襞片３が一体に設けられる。また、両襞片３，３には横断状のスリット３ａが所定間隔離して複数本設けられる。これは、架空電線Ｄが挿通孔２，２に挿通し易くするためと、挿通した後に架空電線Ｄとの間の隙間を塞ぎ鳥等の小動物がカバー本体１内に侵入して短絡事故を起こさないようにするためである。
【００２７】
カバー本体１は、挿通孔２，２の中心軸線に沿った一側をヒンジ部４とし他側を分割５して両側壁１ａ，１ａが開閉自在に設けられる。前記ヒンジ部４は外周面が円弧状をなし、両側壁１ａ，１ａの他側端に該側壁１ａ，１ａとほぼ直角をなす端壁１ｂ，１ｂが設けられる。また、両側壁１ａ，１ａの内側面であって端壁１ｂ，１ｂから一定の間隔離した位置に、端壁１ｂ，１ｂとほぼ平行をなす仕切り壁６，６が設けられる。これら仕切り壁６，６の長手方向に沿った両側には、外側へ向かって下傾した傾斜部６ａ，６ａが設けられる。
【００２８】
両端壁１ｂ，１ｂと両仕切り壁６，６との間にはその左右側に一対の突状部７，７が設けられ、対向する一方の各突状部７に係合手段である係合凸部８が設けられ、他方の各突状部７に係合手段である係合凹部９が設けられている。前記各係合凸部８は、その先端に上方を向く爪部１０が設けられ、前記両側壁１ａ，１ａの開閉動作に伴い両係合凸部８，８の爪部１０，１０が係合凹部９，９に自在に係脱するようになっている。
【００２９】
前記両側壁１ａ，１ａの他側端に位置する端壁１ｂ，１ｂには、両突状部７，７を残しそれら両側に位置して前記分割５線を跨ぐ所定の大きさの挿込凹部２９，２９，２９が設けられる。すなわち、各挿込凹部２９は、前記分割５線と交差しかつ前記挿込凹部２９間の突状部７に接する側縁面２９ａが前記両側壁１ａ，１ａの他側端面から見てＶ溝をなすテーパ面に成形される。各挿込凹部２９のカバー本体１の幅Ｗ方向と平行な方向での最大幅Ｗ２は、図１３、図１６（イ）に示すように間接活線工具２０における把持部２３の第一・第二把持片２３ａ，２３ｂ先端の横幅ｅ２よりも少し長く、両第一・第二把持片２３ａ，２３ｂの先端がカバー本体１の分割５線に沿って作動する位置で隣接する挿込凹部２９，２９に挿入できるようになっている。
【００３０】
カバー本体１内部のヒンジ部４寄りの内周面にその長手方向のほぼ中央部に位置して、挿通孔２の中心軸線と直交する一対の弧状の支持リブ１２，１２が突設される。両支持リブ１２，１２により、架空電線Ｄにおける剥離した芯線Ｃがほとんど隙間のないように挿通される通孔１３，１３が成形される。
【００３１】
第二実施の形態に係る電線用被覆補修カバーＡ２は上記構成からなり、図５、図１４に示すような架空電線Ｄであって、被覆部ｄを剥離して芯線Ｃが一部露出した接続部Ｅに被着して使用される。このように被覆部ｄの一部を剥がすのは、例えば、架空電線Ｄにおける或る一定区間を停電させてその間で電気工事を行う場合、架空電線Ｄにその区間を迂回するようなバイパス線を接続し、該架空電線Ｄに電気工事区間を除いて電流を流したまま工事が行えるようにするためである。
【００３２】
そこで、まず高所作業車（図示せず。）に作業者が乗って上昇し、間接活線工具２０の把持部２３により第二実施の形態に係る電線用被覆補修カバーＡ２を挟んで保持し、前記架空電線Ｄにおける接続部Ｅに被せる。そして、側壁１ａ，１ａの両側を外側から挟むことにより両係合凹部９，９に係合凸部８，８を係合する。これにより、図５，図１４に示すように架空電線Ｄが挿通孔２，２に挿通されると共に芯線Ｃの外周面に一対の支持リブ１２，１２が嵌着される。しかも、該第二実施の形態に係る電線用被覆補修カバーＡ２が架空電線Ｄに沿って左右にずれるようなことがない。仮に、ずれたとしても、接続部Ｅにおける架空電線Ｄの端面に支持リブ１２，１２が当接してその移動が規制される。
【００３３】
一方、前記工事が終って一定の期間（例えば、１年または２年）経過後に、再び工事を行うため第二実施の形態に係る電線用被覆補修カバーＡ２を取り外す場合は、図１５、図１６（イ）に示すようにカバー本体１の端壁１ｂ，１ｂに設けられた隣接する両挿込凹部２９，２９に第一把持片２３ａと第二把持片２３ｂの各先端をそれぞれ第一・第二把持片２９，２９に挿入する。そして、分割５線に沿って挿込凹部２９，２９間の突状部７に接する両側縁面２９ａ，２９ａを挟むように作動させる。
【００３４】
これにより、第一・第二把持片２３ａ，２３ｂの先端挟着面２３ｃ，２３ｃがそれぞれ各側縁面２９ａ，２９ａに当接し、しかも、図１６（ロ）矢視方向に示すように両側縁面２９ａ，２９ａを挟むように力が作用するので、両側壁１ａ，１ａを外側へ押し開き係合凸部８と係合凹部９との係合が外れる。このようにして、第二実施の形態に係る電線用被覆補修カバーＡ２が簡単に取り外せることになり、作業性が極めて良い。
【００３５】
また、第二実施の形態に係る電線用被覆補修カバーＡ２も、その幅Ｗに比較し高さＨが長く設定されている。これにより、架空電線Ｄの接続部Ｅ部位が湾曲していても、その高さ方向で吸収され、取り付けに支障を来たすおそれがない。更に、仕切り壁６の長手方向に沿った両側に外側へ向かって下傾した傾斜部６ａ，６ａが設けられているので、カバー本体１内に雨水が浸入しても、前記仕切り壁６の両側の傾斜部６ａ，６ａを介して雨水が外側へ排出され、カバー本体１内に雨水が溜まる心配はない。
【００３６】
第一・第二実施の形態では、一定区間を遮断して架線工事を行なう場合のバイパス線の接続箇所に被着する電線用被覆補修カバーについて説明したが、これら実施の形態に限定されるものではない。本発明は、他に例えば、既設又は新設の架空電線を接続する場合のスリーブにより接続した部位を被着する直線スリーブカバー、また、架空電線から電気の需要家へ分流させるための分岐スリーブやコネクタ部分に被着する分岐スリーブカバー又はコネクタカバーに適用できる。更には、架空電線を電柱に引き留めるクランプを覆うクランプカバーなどであって両側壁が開閉自在に設けられると共にこれに伴い自在に係脱する係合手段を備えたカバーであれば、これらに本発明が適用できることは勿論である。
【図面の簡単な説明】
【００３７】
【図１】第一実施の形態に係る電線用被覆補修カバーの斜視図。
【図２】同開いた状態の斜視図。
【図３】図１のＸ−Ｘ線断面図。
【図４】図１のＹ−Ｙ線断面図。
【図５】電柱部位の正面図。
【図６】架空電線の接続部に被着した電線用被覆補修カバーの正面断面図。
【図７】間接活線工具の斜視図。
【図８】第一実施の形態に係る電線用被覆補修カバーの取外す状態を示す側面断面図。
【図９】第一実施の形態に係る電線用被覆補修カバーの取外す状態を示す側面断面図。
【図１０】（イ）は第一実施の形態に係る電線用被覆補修カバーの取外す状態を示す底面図、（ロ）は第一実施の形態に係る電線用被覆補修カバーの取外す状態を示す底面図。
【図１１】第二実施の形態に係る電線用被覆補修カバーの斜視図。
【図１２】同開いた状態の斜視図。
【図１３】図１１のＺ−Ｚ線断面図。
【図１４】架空電線の接続部に被着した電線用被覆補修カバーの正面断面図。
【図１５】第二実施の形態に係る電線用被覆補修カバーの取外す状態を示す正面断面図。
【図１６】（イ）は第二実施の形態に係る電線用被覆補修カバーの取外す状態を示す底面図、（ロ）は第二実施の形態に係る電線用被覆補修カバーの取外す状態を示す底面図。
【符号の説明】
【００３８】
１ａ          側壁
２            挿通孔
４            ヒンジ部
５            分割
７            突状部
８            係合手段（係合凸部）
９            係合手段（係合凹部）
１１          挿込凹部
２０          間接活線工具
２３          把持部
２３ａ        第一把持片
２３ｂ        第二把持片
２９          挿込凹部
２９ａ        側縁面
Ａ１          第一実施の形態に係る電線用被覆補修カバー。
Ａ２          第二実施の形態に係る電線用被覆補修カバー。
Ｄ            架空電線
【図１】
2008178181.tif 000003
【図２】
2008178181.tif 000004
【図３】
2008178181.tif 000005
【図４】
2008178181.tif 000006
【図５】
2008178181.tif 000007
【図６】
2008178181.tif 000008
【図７】
2008178181.tif 000009
【図８】
2008178181.tif 000010
【図９】
2008178181.tif 000011
【図１０】
2008178181.tif 000012
【図１１】
2008178181.tif 000013
【図１２】
2008178181.tif 000014
【図１３】
2008178181.tif 000015
【図１４】
2008178181.tif 000016
【図１５】
2008178181.tif 000017
【図１６】
2008178181.tif 000018